(57)【要約】      （修正有）【課題】畑で使用する道具類を家まで搬送する手間を省くための農機具類を安全に収納する箱を提供する。【解決手段】錠付きの蓋２を備えた外形略直方体型の収納箱１において、短い側壁の一方に１個または複数個の縦長の長孔６を穿設し、長い側壁の一方には二個の縦長の長孔を間隔をおいて穿設し、側壁のコーナー部の底板に、アンカボールト１２挿入用の孔７を穿設した野畑収納箱である。上記縦長の長孔６を通じて長物農具の柄を外に突き出し収納し、上記二個の縦長の長孔を通じてサポートを係止保持する。【選択図】図１
0003169551.tif 000002
【実用新案登録請求の範囲】
【請求項１】
被収納物を収納するための施錠可能な蓋を備えた外形略直方体型の収納箱において、
短い側壁の一方に１個または複数個の縦長の長孔を穿設し、長い側壁の一方には二個の縦長の長孔を間隔をおいて穿設し、側壁のコーナー部の底板に、アンカボールトを挿入するためのアンカボールト挿入孔を穿設し、該挿入孔にアンカボールトを挿入係止してなることを特徴とする野畑収納箱。
【考案の詳細な説明】
【技術分野】
【０００１】
本考案は、野畑収納箱に関し、特に家庭菜園として使用されている野畑の一部に設置する収納箱に関するものである。
【背景技術】
【０００２】
従来から、収納箱は数々の物が使用されているが戸外で使用する収納箱として、特開平０８−９１４７７号公報（特許文献１）に記載の収納箱体がある。
【先行技術文献】
【特許文献】
【０００３】
【特許文献１】特開平０８−９１４７７号公報
【考案の概要】
【考案が解決しようとする課題】
【０００４】
ところで、従来例である特許文献１記載の収納箱刃は、被収納物につき、長い柄を有する農器具その他の器具類を想定しておらず、収納部分が狭隘で、農器具その他の器具類を収容するには不向きであった。
【０００５】
つまり、畑地で農作業を終えた後、その都度、農器具その他の器具類を、家に持ち帰るのは煩瑣であり、このような煩瑣な手間を省略するために、可及的に、農器具、その他の器具類を、畑近傍に置かれた収納箱に入れて、保管すると便利であるという要請が存した。
【０００６】
また、単に収納箱に入れるにしても、農器具は柄が長くて通例の箱体には収容しきれず、はみ出てしまい、収容しきれないところ、旨く、長物を収容するには如何様な方策を講ずるべきかの課題が存在していた。
【０００７】
さらに、単に被収納物を収納箱に入れただけでは、農器具、その他の器具類の安全性が保たれず、寸借、使用窃盗、盗難などにあい、収納した農器具類や他の物品の安全性を図るにはどうするべきかが課題となっていた。
【０００８】
本考案は、上記技術的課題を克服するために、長尺の農器具類を簡便に収納することができ、そして収納した器具類の安全性、収納箱の安全性を確保することができるような収納箱を提供することを目的とする。
【課題を解決するための手段】
【０００９】
本考案は、上記目的を達成するために提案されたものであって、被収納物を収納するための施錠可能な蓋を備えた外形略直方体型の収納箱において、
短い側壁の一方に１個または複数個の縦長の長孔を穿設し、長い側壁の一方には二個の縦長の長孔を間隔をおいて穿設し、側壁のコーナー部の底板に、アンカボールトを挿入するためのアンカボールト挿入孔を穿設し、該挿入孔にアンカボールトを挿入係止してなることを特徴とする野畑収納箱を提供するものである。
【考案の効果】
【００１０】
本考案は、短い側壁の一方に穿設した１個または複数個の縦長の長孔を通じて、柄の長い農器具、その他の器具類の柄を外に延長させたままで、収納することが可能であるため、限られた空間を有効利用して、長物器具類を収納することができる。
【００１１】
また、長い側壁の一方には二個の縦長の長孔を間隔をおいて穿設しているので、農作物の支え手となるサポートを束ねて箱内の係止具に保持することが可能であり、サポートを整然且つ安全に保持することができるため便宜である。
【００１２】
さらに、側壁の底板のコーナー部に、アンカボールト挿入用の孔を穿設しているので、収納箱を内側からアンカボールト挿入孔を介してアンカボールトを畑地の土中深く挿入して打ち込むと、収納箱本体が、安定し、簡単に移設できないことから、盗難等に対して安全性を保持して設置することができる。
【００１３】
また、箱内を水平の仕切り板（棚板）で仕切ることを通じて上下方向にも限られた収納空間を有効利用することも可能である。
【００１４】
かくして、本考案に係る収納箱は、野畑で働く農事従業者が農作業終了後、逐一、自宅農機具類を搬送する手間を省くことができる。しかも、箱を蓋で閉じた後、施錠することを通じて、箱内の収容物への危害が防がれるから、安全性が保持される。
【図面の簡単な説明】
【００１５】
【図１】本考案に係る収納箱の一部破談正面斜視図である。
【図２】本考案に係る収納箱の裏面側斜視図である。
【考案を実施するための形態】
【実施例１】
【００１６】
以下、本考案の一実施例につき図面を参照して、詳述することとする。図１中、１は、収納箱本体であり、外形略直方体型をしており、中に被収納物を収容することができるようになっており、２は、該箱体上部の開口を塞ぐ錠（後記）を備えた蓋である。
【００１７】
３は、水平仕切り板であり、アングル状の係止金具（図示省略）で、係止することができるにようになっており、前記水平仕切り板３下部には腐葉土、穀物種子等重いもの（図示省略）を収容し、該仕切り板３の上部には、肥料４、農器具５等の器具類を置くことで、立体的に収納空間を利用することができるようになっている。
【００１８】
図中、６は短辺をなす側板に穿設された縦長の長孔であり、柄の長い農器具の柄の先端部分を、該長孔６を介して、箱の外側に延長して収納することができる。即ち、この収納箱においては、水平仕切り板３で、上下の空間を有効利用した外に、該平仕切り板３を水平方向においても、奥側に肥料４、その脇に、農器具５等の柄の長い器具類を水水平空間を有効利用しつつ、収納することができる。
【００１９】
図中、７は、アンカボールト（後記する如く符号１２で示す）を挿入するためのアンカボールト挿入孔であり、箱１の底板８の４隅、即ち、底板８の、側板が直交するコーナー部に穿設されている。前記アンカボールト挿入孔７を通じてアンカボールト（後記符号１２）を挿入して土中に打ち込んで、不慮に箱１が、移動、移設されることがないよう確実に畑地に固定することができる。
【００２０】
図１において、１２は、アンカボールトであり、前記アンカボールト挿入孔７を通じて土中強固に挿入して、箱の移動を避止するものである。該アンカボールト１２は、異径鉄筋の如く表面に抜け止めの粗面加工を施しておくと、一層抜け止めの効果が期待できるものである。尚、アンカボールトの素材は金属に拘わらず、合成樹脂、その他の素材でも構わない。
【００２１】
図２は、本考案に係る収納箱の裏面側からみた斜視図であり、９，９は、長辺をなす側板に間隔をおいて穿設された縦長の長孔であり、該長孔を通じて、農作物の支え手として機能するサポート１０，１０を、収納箱の内側からワイヤロープを以って束ねて、収納箱の内側の係止具（図示省略）に係止して、固着するものである。斯様にして、散らばりがちなサポートを、整理しつつ保持するとともに、係止具にて安固にサポートを支持することで、サポートの盗難を防ぐことが可能である。
【００２２】
図２中、１１は、錠であり、蓋２を以って箱１の開口部を閉鎖し、その上で、該蓋２を、箱にロックするためのロック機構をなすものである。斯様にして、不慮に箱１を開けて、内容物が持ち出されるという弊害を防止することができる。
【００２３】
図１，２に於いて別の実施例として、蓋の周辺の雨樋に集まった雨水を雨樋のベント部にパイプ（図示省略）を接続して、雨水貯留タンクに溜めて、水遣りに供することもできる。このようにすれば、用水不足を、貯留した雨水で補充することができる。
【００２４】
なお、本願考案に係る収納箱を形成する素材は、木材、金属、合成樹脂等、各種の素材を用いていいが、合成樹脂素材を以って製する場合は、各種のモールド成形を行なうことができるから製造する上で便宜である。
【００２５】
尚、この考案は、上記実施例に記載した技術的態様に限定するものではなく、この考案の技術的範囲内において、種々の改変が可能であり、この発明がそれらの改変されたものにも及ぶことは当然のことである。
【符号の説明】
【００２６】
１      箱
２      蓋
３      仕切り板
４      肥料
５      農器具
６      側壁の縦孔
７      アンカ挿入孔
８      底板
９      裏面壁の縦孔
１０    サポート〈支柱〉
１１    錠
１２    アンカボールト
【図１】
0003169551.tif 000003
【図２】
0003169551.tif 000004